(57)【特許請求の範囲】
【請求項１】
熱源を収納する第１のケースと、
前記第１のケースを収納する第２のケースと、
前記第２のケースに収納された吸気ファンと、
を備え、
前記第１のケースは、前記第２のケースと間隙を有して配置され、
前記第１のケース又は前記第２のケースには、通気路の流入部側の側面の一端側、他端側、及び前記一端側と前記他端側との間に形成された複数の板状の横リブと、前記通気路の下面の一端側、他端側、及び前記一端側と前記他端側との間に形成された複数の板状の下リブと、が設けられ、前記横リブ及び前記下リブにより前記通気路が形成され、前記通気路の流入部側を前記吸気ファン側に向けており、
前記横リブの板面及び前記下リブの板面は、前記通気路の方向に沿って形成されている、
ことを特徴とする冷却装置。
【請求項２】
前記熱源は光源装置であり、
前記第１のケースは光源ケースであり、
前記第２のケースは本体ケースであり、
前記光源ケースは、前記本体ケースの底部と間隙を有して配置される、
ことを特徴とする請求項１に記載の冷却装置。
【請求項３】
前記熱源は光源装置であり、
前記第１のケースは光源ケースであり、
前記第２のケースは本体ケースであり、
前記光源ケースは、前記本体ケースの上部と間隙を有して配置される、
ことを特徴とする請求項１に記載の冷却装置。
【請求項４】
前記下リブは、前記通気路の流入部側の底面に形成されていることを特徴とする請求項１又は請求項２に記載の冷却装置。
【請求項５】
前記光源ケースは、下方に立設するガイド壁を有することを特徴とする請求項２又は請求項４に記載の冷却装置。
【請求項６】
前記光源ケースは、前記通気路の流出部側に冷却対象物を有することを特徴とする請求項２乃至請求項５の何れかに記載の冷却装置。
【請求項７】
前記本体ケースには、前記吸気ファンと対角位置に排気ファンが設けられ、
前記光源ケースは、前記通気路の流出部側を前記排気ファン側に向けて配置される、
ことを特徴とする請求項２乃至請求項６の何れかに記載の冷却装置。
【請求項８】
前記本体ケースは、
略直方体形状であり、
平面視において、投影方向側に位置する前方右側及び前方左側の各角部に吸気孔を、後方右側及び後方左側の各角部に排気孔を備え、
前記吸気ファンは、前記前方右側の吸気孔の内側に配置され、
前記排気ファンは、前記後方左側の排気孔の内側に配置される、
ことを特徴とする請求項７に記載の冷却装置。
【請求項９】
請求項２乃至請求項８の何れか一項に記載の冷却装置と、
表示素子と、
前記光源装置を透過した光を前記表示素子に導光する光源側光学系と、
前記表示素子から出射された画像を投影する投影側光学系と、
を備えることを特徴とする投影装置。
【発明の詳細な説明】
【技術分野】
【０００１】
本発明は、冷却装置及び投影装置に関する。
【背景技術】
【０００２】
今日、パーソナルコンピュータの画面やビデオ画像、さらにメモリカード等に記憶されている画像データによる画像等をスクリーンに投影する画像投影装置として、データプロジェクタが多用されている。このようなプロジェクタは、光源から出射された光をＤＭＤ（デジタル・マイクロミラー・デバイス）と呼ばれるマイクロミラー表示素子や液晶板に集光させ、スクリーン上にカラー画像を表示させる。
【０００３】
プロジェクタは、パーソナルコンピュータやＤＶＤプレーヤーなどの映像機器の普及に伴って、業務用プレゼンテーションから家庭用に至るまで用途が拡大している。このようなプロジェクタは、高輝度の放電ランプを光源とするものが主流であったが、近年、レーザダイオード等の固体発光素子や、その固体発光素子を励起光源とする蛍光板を光源として備えたものが種々開発されている。このような光源や制御用の基板等は、プロジェクタの主な熱源となることから、プロジェクタの内部を冷却するための技術が提案されている。
【０００４】
例えば、特許文献１のプロジェクタは、第一の光源装置に取り付けられる第一のヒートシンクと、第二の光源装置に取り付けられる第二のヒートシンクを備える。また、このプロジェクタは、第一のヒートシンクに冷却風を送風する第一の冷却ファンと、第二のヒートシンクに冷却風を送風する第二の冷却ファンを備える。第一の冷却ファンと第二の冷却ファンは、異なる方向から外気を取り込んで、第一のヒートシンクと第二のヒートシンクの各々に冷却風を送風する。また、第一の光源装置と第二の光源装置の間には、第一のヒートシンクと第二のヒートシンクから夫々放出される冷却風が同一方向に流れるように案内する案内部材が配置される。
【０００５】
よって、このプロジェクタは、冷却風同士の干渉を防ぎ、冷却ファンからの冷却風をスムーズに排気することで、効率よく各光源装置を冷却することを可能としている。
【先行技術文献】
【特許文献】
【０００６】
【特許文献１】特開２０１１−７５８９８号公報
【発明の概要】
【発明が解決しようとする課題】
【０００７】
一般的に、冷却が必要な熱源は、冷却ファンからの風が直接吹き付ける位置や、冷却ファンの風の吸気側の位置に配置されることで冷却される。特許文献１のプロジェクタにおいても、熱源である各光源装置の近くに、対応する冷却ファンを配置し、光源装置に取り付けられたヒートシンクに向かって外部から取り込んだ冷却風を直接送風している。また、特許文献１のプロジェクタのように、外部の冷却風を取り込む複数の冷却ファンを用いている場合、内部に分散する複数の熱源を比較的容易に冷却することができるが、このような冷却ファンを複数配置するとプロジェクタが大型化してしまい効率的ではない。
【０００８】
本発明は、以上の点に鑑み、ファンから離れた熱源を効率よく冷却する投影装置を提供することを目的とする。
【課題を解決するための手段】
【０００９】
本発明の冷却装置は、熱源を収納する第１のケースと、前記第１のケースを収納する第２のケースと、前記第２のケースに収納された吸気ファンと、を備え、前記第１のケースは、前記第２のケースと間隙を有して配置され、通気路の流入部側の側面の一端側、他端側、及び前記一端側と前記他端側との間に形成された複数の板状の横リブと、前記通気路の下面の一端側、他端側、及び前記一端側と前記他端側との間に形成された複数の板状の下リブと、が設けられ、前記横リブ及び前記下リブにより前記通気路が形成され、前記通気路の流入部側を前記吸気ファン側に向けており、前記横リブの板面及び前記下リブの板面は、前記通気路の方向に沿って形成されている。
【００１０】
本発明の投影装置は、上述の冷却装置と、表示素子と、前記光源装置を透過した光を前記表示素子に導光する光源側光学系と、前記表示素子から出射された画像を投影する投影側光学系と、を備える。
【発明の効果】
【００１１】
本発明によれば、ファンから離れた熱源を効率よく冷却する投影装置を提供することができる。
【図面の簡単な説明】
【００１２】
【図１】本発明の実施形態に係る投影装置の外観斜視図である。
【図２】本発明の実施形態に係る投影装置の機能ブロック図である。
【図３】本発明の実施形態に係る投影装置の内部構造を示す平面模式図である。
【図４】本発明の実施形態に係る光源装置の平面模式図である。
【図５】本発明の実施形態に係る投影装置の本体ケースを縦断面とした側面図である。
【図６】本発明の実施形態に係る光源ケースの裏面斜視図である。
【図７】本発明の実施形態に係る光源ケース及び下本体ケースの側面図である。
【図８】本発明の実施形態に係る投影装置内の通気路を示す平面模式図である。
【発明を実施するための形態】
【００１３】
以下、本発明を実施するための形態について説明する。図１は、投影装置１０の外観斜視図である。本実施形態の投影装置１０は、上本体ケース（第２のケース）１０ａ及び下本体ケース（第２のケース）１０ｂを備える。投影装置１０の筐体の側板である正面パネル１２、背面パネル１３、右側パネル１４、及び左側パネル１５は、上本体ケース１０ａの外周縁から下方に向かって立設する。各パネル１２〜１５の下端は、下本体ケース１０ｂの外周縁と当接する。したがって、投影装置１０は、上本体ケース１０ａと下本体ケース１０ｂにより略直方体状に形成される。なお、本実施形態において、投影装置１０における左右とは投影方向に対しての左右方向を示し、前後とは投影装置１０のスクリーン側方向及び光線束の進行方向に対しての前後方向を示す。
【００１４】
投影装置１０の筺体の上面パネル１１には、キー／インジケータ部３７、投影画像調整部１１ａが設けられる。このキー／インジケータ部３７には、電源スイッチキーや電源のオン又はオフを報知するパワーインジケータ、投影のオン、オフを切りかえる投影スイッチキー、光源装置や表示素子又は制御回路等が過熱した時に報知をする過熱インジケータ等の各種設定を行うためのキーやインジケータが配置されている。投影画像調整部１１ａは、一つ又は複数の回動摘みを備える。この回動摘みを操作することにより、図４で後述する投影側光学系の可動レンズの位置が調節され、投影画像の大きさやピントの調整が行われる。また、投影装置１０は、図示しないが、リモートコントローラからの制御信号を受信するＩｒ受信部を備えている。
【００１５】
正面パネル１２と右側パネル１４の前方右側の角部５０１には、吸気孔３１０が設けられる。正面パネル１２の左側には、すり鉢状に窪んだ光出射部１２ａが設けられる。この光出射部１２ａの左側パネル１５側の内壁には、吸気孔３２０が形成される。換言すれば、正面パネル１２の前方左側の角部５０２には、吸気孔３２０が設けられる。投影装置１０は、光出射部１２ａに、投影口１２ｂと、投影口１２ｂを覆うレンズカバー１９を有する。正面パネル１２の下端には、高さ調整ボタン１２ｃが設けられる。投影装置１０は、正面パネル１２側の内部に支脚を備える。投影装置１０は、高さ調整ボタン１２ｃが押下されている間、下方からその支脚を出没させることができる。よって、使用者は、高さ調整ボタン１２ｃを操作することにより支脚を任意の出代量で固定し、投影装置１０の高さや傾きを調節することができる。
【００１６】
背面パネル１３には、ＵＳＢ端子や画像信号入力用のＤ−ＳＵＢ端子、Ｓ端子、ＲＣＡ端子等を設ける入出力コネクタ部及び電源アダプタプラグ等の各種端子２０が設けられている。また、背面パネル１３において、右側パネル１４側の角部に排気孔３３０が形成され、左側パネル１５側の角部にも排気孔３４０が形成される。換言すれば、投影装置１０の後方右側の角部５０３に排気孔３３０が配置され、後方左側の角部５０４にも排気孔３４０が配置される。
【００１７】
つぎに、投影装置１０の投影装置制御手段について図２の機能ブロック図を用いて述べる。投影装置制御手段は、制御部３８、入出力インターフェース２２、画像変換部２３、表示エンコーダ２４、表示駆動部２６等から構成される。
【００１８】
制御部３８は、投影装置１０内の各回路の動作制御を司るものであって、ＣＰＵや各種セッティング等の動作プログラムを固定的に記憶したＲＯＭ及びワークメモリとして使用されるＲＡＭ等により構成されている。
【００１９】
そして、この投影装置制御手段により、入出力コネクタ部２１から入力された各種規格の画像信号は、入出力インターフェース２２、システムバス（ＳＢ）を介して画像変換部２３で表示に適した所定のフォーマットの画像信号に統一するように変換された後、表示エンコーダ２４に出力される。
【００２０】
表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２１】
表示駆動部２６は、表示エンコーダ２４から出力された画像信号に対応して適宜フレームレートで空間的光変調素子（ＳＯＭ）である表示素子５１を駆動するものである。
【００２２】
投影装置１０は、光源である光源装置６０から出射された光源光の光線束を、後述する導光光学系を介して表示素子５１に照射することにより、表示素子５１の反射光で光像（画像）を形成する。投影装置１０は、その形成した光像を同じく後述する投影側光学系を介してスクリーンに投影し、画像を表示させる。なお、この投影側光学系の可動レンズ群２３５は、レンズモータ４５によりズーム調整やフォーカス調整のための駆動が行われる。
【００２３】
画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。
【００２４】
また、画像圧縮／伸長部３１は、再生モード時はメモリカード３２に記録された画像データを読み出し、一連の動画を構成する個々の画像データを１フレーム単位で伸長する。そして、画像圧縮／伸長部３１は、その画像データを、画像変換部２３を介して表示エンコーダ２４に出力し、メモリカード３２に記憶された画像データに基づいた動画等を表示する処理を行う。
【００２５】
筺体の上面パネル１１に設けられるメインキー及びインジケータ等により構成されるキー／インジケータ部３７の操作信号は、直接に制御部３８に送出される。リモートコントローラからのキー操作信号は、Ｉｒ受信部３５で受信され、Ｉｒ処理部３６で復調されたコード信号が制御部３８に出力される。
【００２６】
なお、制御部３８にはシステムバス（ＳＢ）を介して音声処理部４７が接続されている。この音声処理部４７は、ＰＣＭ音源等の音源回路を備えており、投影モード及び再生モード時には音データをアナログ化し、スピーカ４８を駆動して拡声放音させる。
【００２７】
また、制御部３８は、光源制御手段としての光源制御回路４１を制御している。この光源制御回路４１は、画像生成時に要求される所定波長帯域の光が光源装置６０から出射されるように、光源装置６０の緑色光源装置における励起光照射装置や、赤色光源装置の発光を個別に制御する。光源装置６０から出射された所定の波長帯域の光は、照射ミラー１８５で反射され、表示素子５１に照射される。
【００２８】
制御部３８は、冷却ファン駆動制御回路４３に光源装置６０等に設けた複数の温度センサによる温度検出を行わせ、この温度検出の結果から冷却ファンの回転速度を制御させている。また、制御部３８は、投影装置１０の電源をＯＦＦにする指示を受けると、冷却ファン駆動制御回路４３にタイマーを用いて投影装置１０本体の電源ＯＦＦ後も冷却ファンの回転を持続させたり、温度センサによる温度検出の結果に応じて投影装置１０本体の電源を切るタイミングを定める等の制御を行うことができる。
【００２９】
つぎに、投影装置１０の内部構造について述べる。図３は、投影装置１０の内部構造を示す平面模式図である。投影装置１０は、電源装置３０１、制御回路基板３０２、光源装置６０を備える。また、投影装置１０は、冷却ファンとして、吸気ファン２６０、中間ファン２７０、排気ファン２８０を備える。
【００３０】
光源装置６０は、投影装置１０の筐体の略中央に配置される。光源装置６０は、光源ケース（第１のケース）６１によって内部にレンズやミラー等の光学部材を収納する。電源装置３０１は、光源装置６０の左側パネル１５側に配置される。電源装置３０１の基板は、左側パネル１５と略平行に配置される。制御回路基板３０２は、光源装置６０の背面パネル１３側に配置される。制御回路基板３０２は、上下方向に対し略垂直に配置される。制御回路基板３０２は、電源回路ブロックや光源制御ブロック等を備える。また、制御回路基板３０２は、電源回路ブロックや光源制御ブロック等の機能毎に分けて、複数備えることができる。
【００３１】
光源装置６０の内部構造について説明する。図４は、光源装置６０の平面模式図である。光源装置６０は、赤色波長帯域光の光源とされる赤色光源装置１２０と、緑色波長帯域光の光源とされる緑色光源装置８０と、青色波長帯域光の光源とされる青色光源装置であると共に励起光源ともされる励起光照射装置７０と、を備える。緑色光源装置８０は、励起光照射装置７０と、蛍光板装置１００により構成される。光源装置６０は、導光光学系１４０を有する。導光光学系１４０は、緑色波長帯域光及び青色波長帯域光及び赤色波長帯域光の光線束を合わせて、各色波長帯域の光線束を同一光路上に導光する。
【００３２】
励起光照射装置７０は、投影装置１０筐体の右側パネル１４側に配置される。励起光照射装置７０は、背面パネル１３と光軸が平行になるよう配置された複数の固体発光素子を備える。本実施形態の固体発光素子は、青色波長帯域光を発する青色レーザダイオード７１である。また、青色レーザダイオード７１は、右側パネル１４と平行に配置されている。これら青色レーザダイオード７１は、固定ホルダ７４に固定される。また、励起光照射装置７０は、反射ミラー７６、拡散板７８、ヒートシンク８１を備える。反射ミラー７６は、各青色レーザダイオード７１からの出射光の光軸を拡散板７８に向けて９０度変換する。拡散板７８は、反射ミラー７６で反射した各青色レーザダイオード７１からの出射光を予め定められた拡散角度で拡散する。図３に示すように、ヒートシンク８１は、青色レーザダイオード７１と右側パネル１４との間に配置される。ヒートシンク８１の右側方に形成された第一フィン８１１の板面は上下方向に対して垂直に形成される。また、上方に形成された第二フィン８１２の板面は、左右方向に対して垂直に形成される。
【００３３】
図４に戻り、各青色レーザダイオード７１からの光路上には、青色レーザダイオード７１からの出射光の指向性を高めて平行光に変換するコリメータレンズ７３が夫々配置されている。これらコリメータレンズ７３は、青色レーザダイオード７１とともに固定ホルダ７４に固定される。
【００３４】
赤色光源装置１２０は、青色レーザダイオード７１の光線束と光軸が平行となるように配置された赤色光源１２１と、赤色光源１２１からの出射光を集光する集光レンズ群１２５と、を備える。この赤色光源１２１は、赤色波長帯域光を発する固体発光素子である赤色発光ダイオードである。赤色光源装置１２０は、赤色光源装置１２０が出射する赤色波長帯域光の光軸が、蛍光板１０１から出射される緑色波長帯域光の光軸と交差するように配置される。また、赤色光源装置１２０は、赤色光源１２１の右側パネル１４側にヒートシンク１３０を備える。ヒートシンク１３０のフィン１３１は、全体が右側方向に立設しており、上下方向に対して略垂直に形成される。また、フィン１３１は、正面視において放射状に上下に広がるように傾斜して形成される。ヒートシンク１３０は、青色レーザダイオード７１のヒートシンク８１と、前方から見た上下左右方向が重ならない位置に配置される（図５参照）。
【００３５】
緑色光源装置８０を構成する蛍光板装置１００は、蛍光板１０１、モータ１１０、入射側の集光レンズ群１１７、出射側の集光レンズ１１５を備える。蛍光板１０１は、励起光照射装置７０からの出射光の光軸と直交するように配置された蛍光ホイールである。この蛍光板１０１はモータ１１０により回転駆動する。集光レンズ群１１７は、励起光照射装置７０から出射される励起光の光線束を蛍光板１０１に集光する。集光レンズ１１５は、蛍光板１０１から正面パネル１２方向に出射される光線束を集光する。なお、蛍光板装置１００は、集光レンズ群１１７及び集光レンズ１１５の上方に配置される。そのため、蛍光板１０１の下方の一部が集光レンズ群１１７と集光レンズ１１５の光路上に配置される。
【００３６】
蛍光板１０１には、蛍光発光領域と拡散透過領域とが周方向に並設されている。蛍光発光領域は、青色レーザダイオード７１から出射された青色波長帯域光を励起光として受けて、励起された緑色波長帯域の蛍光光を出射する。拡散透過領域は、青色レーザダイオード７１からの出射光を拡散透過する。拡散透過した出射光は、光源装置６０の青色波長帯域光として出射される。
【００３７】
導光光学系１４０は、第一ダイクロイックミラー１４１、集光レンズ１４９、第二ダイクロイックミラー１４８、第一反射ミラー１４３、集光レンズ１４６、第二反射ミラー１４５、集光レンズ１４７を有する。第一ダイクロイックミラー１４１は、励起光照射装置７０から出射される青色波長帯域光及び蛍光板１０１から出射される緑色波長帯域光と、赤色光源装置１２０から出射される赤色波長帯域光とが交差する位置に配置される。第一ダイクロイックミラー１４１は、青色波長帯域光及び赤色波長帯域光を透過し、緑色波長帯域光を反射する。第一ダイクロイックミラー１４１で反射した緑色波長帯域光の光軸は、集光レンズ１４９に向かう左側パネル１５方向に９０度変換される。したがって、第一ダイクロイックミラー１４１を透過した赤色波長帯域光の光軸は、第一ダイクロイックミラー１４１により反射された緑色波長帯域光の光軸と一致する。
【００３８】
集光レンズ１４９は、第一ダイクロイックミラー１４１の左側パネル１５側に配置される。第一ダイクロイックミラー１４１を透過した赤色波長帯域光及び第一ダイクロイックミラー１４１により反射された緑色波長帯域光は、共に集光レンズ１４９に入射する。第二ダイクロイックミラー１４８は、集光レンズ１４９の左側パネル１５側であって、集光レンズ１４７の背面パネル１３側に配置される。第二ダイクロイックミラー１４８は、赤色波長帯域光及び緑色波長帯域光を反射し、青色波長帯域光を透過する。したがって、集光レンズ１４９で集光された赤色波長帯域光及び緑色波長帯域光は、第二ダイクロイックミラー１４８によって反射されて、背面パネル１３側に９０度変換される。第二ダイクロイックミラー１４８の背面パネル１３側には、集光レンズ１７３が配置される。第二ダイクロイックミラー１４８により反射された赤色波長帯域光及び緑色波長帯域光は、集光レンズ１７３に入射する。
【００３９】
第一反射ミラー１４３は、蛍光板１０１を透過した青色波長帯域光の光軸上、つまり、集光レンズ１１５と正面パネル１２との間に配置される。第一反射ミラー１４３は、青色波長帯域光を反射して、この青色波長帯域光の光軸を左側パネル１５方向に９０度変換する。集光レンズ１４６は、第一反射ミラー１４３の左側パネル１５側に配置される。また、第二反射ミラー１４５は、集光レンズ１４６の左側パネル１５側に配置される。第二反射ミラー１４５は、第一反射ミラー１４３により反射されて、集光レンズ１４６により集光された青色波長帯域光の光軸を、背面パネル１３側に９０度変換する。集光レンズ１４７は、第二反射ミラー１４５の背面パネル１３側に配置される。第二反射ミラー１４５により反射された青色波長帯域光は、集光レンズ１４７を介して第二ダイクロイックミラー１４８を透過し、集光レンズ１７３に入射する。このようにして、導光光学系１４０により導光された赤色、緑色、青色の各波長帯域光の光線束は、光源側光学系１７０の同一光路上に導光される。
【００４０】
光源側光学系１７０は、集光レンズ１７３、ライトトンネル、ガラスロッド等の導光装置１７５、集光レンズ１７８、光軸変換ミラー１７９、集光レンズ１８３、照射ミラー１８５、コンデンサレンズ１９５を備える。なお、コンデンサレンズ１９５は、コンデンサレンズ１９５の背面パネル１３側に配置される表示素子５１から出射された画像光を、投影側光学系２２０に向けて出射するため、投影側光学系２２０の一部でもある。
【００４１】
集光レンズ１７３から出射した各光線束は、導光装置１７５に入射する。導光装置１７５に入射される各光線束は、導光装置１７５により均一な強度分布の光線束とされる。
【００４２】
導光装置１７５の背面パネル１３側の光軸上には、集光レンズ１７８を介して、光軸変換ミラー１７９が配置されている。導光装置１７５の出射口から出射した光線束は、集光レンズ１７８で集光された後、光軸変換ミラー１７９により、集光レンズ１８３に向かう光軸に変換される。
【００４３】
光軸変換ミラー１７９で反射した光線束は、集光レンズ１８３により集光された後、照射ミラー１８５により、コンデンサレンズ１９５を介して表示素子５１に所定の角度で照射される。なお、背面パネル１３側にはヒートシンク１９０が設けられている。ＤＭＤとされる表示素子５１は、このヒートシンク１９０により冷却される。また、ヒートシンク１９０の後方に形成されたフィン１９１の板面は、上下方向に対して垂直に形成される。
【００４４】
光源側光学系１７０により表示素子５１の画像形成面に照射された光源光である光線束は、表示素子５１の画像形成面で反射され、投影光として投影側光学系２２０を介してスクリーンに投影される。
【００４５】
投影側光学系２２０は、コンデンサレンズ１９５、可動レンズ群２３５、固定レンズ群２２５により構成される。固定レンズ群２２５は、固定鏡筒に内蔵される。可動レンズ群２３５は、可動鏡筒に内蔵され、手動又は自動により移動されることにより、ズーム調整やフォーカス調整を可能としている。
【００４６】
このように投影装置１０を構成することで、蛍光板１０１を回転させるとともに励起光照射装置７０及び赤色光源装置１２０から異なるタイミングで光を出射すると、赤色、緑色及び青色の各波長帯域光が導光光学系１４０を介して導光装置１７５に入射され、さらに光源側光学系１７０を介して表示素子５１に入射される。よって、投影装置１０の表示素子５１であるＤＭＤがデータに応じて各色の光を時分割表示することにより、スクリーンにカラー画像を投影することができる。
【００４７】
図３に戻り、吸気ファン２６０は、前方右側の角部５０１において吸気孔３１０の内側に配置される。吸気ファン２６０は、吸気側２６１を吸気孔３１０に向けるとともに、排気側２６２を投影装置１０の略中央に向けて、斜めに傾けて配置される。中間ファン２７０は、後方右側の角部５０３においてヒートシンク８１の後側に配置される。中間ファン２７０は、吸気側２７１をヒートシンク８１に向けるとともに、排気側２７２を排気孔３３０に向けて配置される。排気ファン２８０は、後方左側の角部５０４において排気孔３４０の内側に配置される。排気ファン２８０は、吸気側２８１をヒートシンク１９０に向けるとともに、排気側２８２を排気孔３４０に向けて、斜めに傾けて配置される。このように、吸気ファン２６０と排気ファン２８０は、本体ケース１０ａ，１０ｂ内の対角位置に配置される。本実施形態の吸気ファン２６０、中間ファン２７０、排気ファン２８０は、それぞれ一つの軸流型のファンにより形成される。また、吸気ファン２６０、中間ファン２７０、排気ファン２８０は、いずれも高さが下本体ケース１０ｂから上本体ケース１０ａの近くまで亘って形成される。このように、吸気ファン２６０、光源ケース６１、本体ケース１０ａ，１０ｂ等によって、冷却装置が構成される。
【００４８】
投影装置１０は、内部に曲面ダクト４００、右側面ダクト４１０、左側面ダクト４２０、後側面ダクト４３０を有する。各面ダクト４００，４１０，４２０，４３０は、面が上下方向と平行な板状に形成される。
【００４９】
曲面ダクト４００は、光源装置６０の上に配置される。曲面ダクト４００は、吸気ファン２６０の排気側２６２の略正面において投影装置１０の左右方向に形成される平面状の第一面４０１と、吸気ファン２６０の側方側において投影装置１０の前後方向に形成される平面状の第二面４０２とを有する。第一面４０１と第二面４０２とは、吸気ファン２６０からみて凹状の湾曲面４０３を介して接続される。また、第二面４０２の前方側では、右方に屈曲した後にさらに前方に屈曲する板状のＬ字状板部４０４が延設される。
【００５０】
右側面ダクト４１０は、光源装置６０の上方であって、光源ケース６１とヒートシンク８１の間に配置される。右側面ダクト４１０は、投影装置１０の前後方向に亘って設けられる。右側面ダクト４１０の前方部は、曲面ダクト４００の第一面４０１と接続される。左側面ダクト４２０は、投影側光学系２２０と電源装置３０１の間に配置される。左側面ダクト４２０は、投影装置１０の前後方向に亘って設けられる。
【００５１】
後側面ダクト４３０は、光源装置６０と背面パネル１３の間に配置される。後側面ダクト４３０は、投影装置１０の左右方向に亘って設けられる。後側面ダクト４３０は、制御回路基板３０２の上方に配置される。また、後側面ダクト４３０は、右方が右側面ダクト４１０の後方と接続され、左方が左側面ダクト４２０の後方と接続される。
【００５２】
右側面ダクト４１０は、上本体ケース１０ａから下方に立設して形成される。左側面ダクト４２０は、下本体ケース１０ｂから上方に立設して形成される。また、後側面ダクト４３０は、上下に上本体ケース１０ａ及び下本体ケース１０ｂとの間隙を有し、他の構成部材との干渉を避けながら配置させることができる。
【００５３】
本実施形態では、発熱量の比較的高い、赤色光源１２１のヒートシンク１３０と、青色レーザダイオード７１のヒートシンク８１と、蛍光板装置１００が、吸気ファン２６０の近辺に配置される。吸気ファン２６０の左側、すなわち吸気ファン２６０の略側面側には、蛍光板装置１００が配置される。吸気ファン２６０の排気側２６２の略正面には、ヒートシンク１３０が配置される。よって、ヒートシンク１３０の後方及び左方には、曲面ダクト４００が配置される。
【００５４】
図５は、投影装置１０の前方側の側面図である。なお、本図において、吸気ファン２６０の図示は省略している。光源ケース６１は、蛍光板装置１００の下方に流入部６２を有する。また、下本体ケース１０ｂは、上方に立設する仕切板１１ｂ１を有する。この仕切板１１ｂ１の一部には、矩形状の切欠部１１ｂ２が形成される。吸気ファン２６０側の空間と光源装置６０の下方の空間とは、主にこの切欠部１１ｂ２を介して接続される。
【００５５】
図６は、図４の前方右側の位置Ｐから見た光源ケース６１の裏面斜視図である。また、図７は、光源ケース６１及び下本体ケース１０ｂの側面図である。
【００５６】
光源ケース６１は、図６に示すように、第一ブロック６４と第二ブロック６５とを有する。第一ブロック６４は、図４に示す光源装置６０と導光光学系１４０とを収納する。また、第一ブロック６４は、図４に示す光源側光学系１７０の集光レンズ１７３，１７８、導光装置１７５及び光軸変換ミラー１７９を収納する。光源装置６０は、投影装置１０内の熱源となる。
【００５７】
第一ブロック６４は、流入部６２側の側面６４１の上方に、蛍光板装置固定部９３を有する。蛍光板装置固定部９３は、投影装置１０の上下に垂直な方向に平行な板状に形成される。蛍光板装置固定部９３は、蛍光板装置１００の固定部として複数の固定孔を有する。
【００５８】
第一ブロック６４は、流入部６２側の側面６４１に複数の横リブ９１を有する。各横リブ９１は、側面６４１から垂直に立設した板状に形成される。各横リブ９１は、蛍光板装置固定部９３から下方に向かって延設される。また、各横リブ９１は、略同じ長さに形成される。
【００５９】
第一ブロック６４は、導光光学系１４０が配置される前方位置の底面６４２に、複数の下リブ９２を有する。各下リブ９２は、底面６４２から下方に立設する板状に形成される。各下リブ９２は、板面方向から見た側面視において略等脚台形状に形成される。したがって、下リブ９２の両端部は、傾斜面９２１として形成される。また、下リブ９２は、流入部６２側から第二ブロック６５の流出部６３側に向かって斜めに延設される。下リブ９２の後方端は、光源ケース６１の前後方向における略中央に配置される。本実施形態では、複数の下リブ９２のうち、流入部６２から最も遠い下リブ９２ａは短く、流入部６２から最も近い下リブ９２ｂは長く形成される。なお、本実施形態の横リブ９１及び下リブ９２は、それぞれ５個ずつ形成される。
【００６０】
横リブ９１が形成される側面６４１と下リブ９２が形成される底面６４２との角部には、側面６４１から下方に延設される縁板６６が形成される。縁板６６は、光源ケース６１の側面６４１側にＣ面取り部６６１を有する。Ｃ面取り部６６１は、側面６４１側から底面６４２側に向かって平面状に傾斜している。下リブ９２の側面６４１側の傾斜面９２１は、縁板６６と接続される。
【００６１】
第一ブロック６４は、流入部６２の反対側であって左側の縁部に、ガイド壁９４を有する。ガイド壁９４は、底面６４２から下方に向かって立設している。ガイド壁９４は、光源ケース６１の前後方向において、前方側から後方に向かって略中央まで延設される。ガイド壁９４の前方には、平面視において右前方に延設される前ガイド部９４１が形成される。また、ガイド壁９４の下端は、下リブ９２よりも下方位置に形成される。
【００６２】
第一ブロック６４は、ガイド壁９４と対向する右側に赤色光源装置固定部９５を有する。赤色光源装置固定部９５は、図４に示す赤色光源装置１２０の構成部材を固定するための固定孔９５１，９５２や位置決め突起９５３等を有してフランジ状に形成される。赤色光源装置固定部９５の中央には、光源ケース６１の内部への貫通孔９５４が形成される。貫通孔９５４では、図４に示す集光レンズ群１２５が配置され、赤色光源１２１からの出射光が通過する。
【００６３】
また、第一ブロック６４は、光源ケース６１の右側であって、赤色光源装置固定部９５の後方に青色光源装置固定部９６を有する。青色光源装置固定部９６は、励起光照射装置７０の構成部材を固定するための固定孔９６１や位置決め突起９６２等を有してフランジ状に形成される。また、青色光源装置固定部９６の中央には、光源ケース６１の内部への貫通孔９６３が形成される。貫通孔９６３では、図４に示す固定ホルダ７４等が配置され、青色レーザダイオード７１からの出射光が通過する。
【００６４】
第二ブロック６５は、第一ブロック６４の後方の左側に設けられ、略立方体状に形成される。第二ブロック６５は、図４に示す光源側光学系１７０の集光レンズ１８３、照射ミラー１８５及びコンデンサレンズ１９５、表示素子５１等を収納する。第二ブロック６５の後方側には、表示素子５１やヒートシンク１９０を固定するための表示素子固定部９７が設けられる。表示素子５１やヒートシンク１９０は、投影装置１０内の熱源であり、冷却対象物として流出部６３側に配置される。また、第二ブロック６５の前方には、図４に示す投影側光学系２２０の鏡筒と接続される鏡筒固定部９８が形成される。鏡筒固定部９８の中央には、光源ケース６１の内部への貫通孔９８１が形成される。なお、図７に示すように、フランジ状に形成された青色光源装置固定部９６の下端９６４は、赤色光源装置固定部９５の下端９５５より上方に設けられる。また、赤色光源装置固定部９５の下端９５５は、ガイド壁９４の下端９４２と同じ高さに設けられる。
【００６５】
光源ケース６１は、複数の固定部８５１を有する。複数の固定部８５１は、図７に示す下本体ケース１０ｂの内面１０ｂ１から上方に立設する複数の支持部８５２と当接して、光源ケース６１を下方から支持する。したがって、光源ケース６１の下面は、下本体ケース１０ｂの底部の内面１０ｂ１と間隙Ｇを有して配置される。この間隙Ｇは、少なくとも流入部６２側から流出部６３側に亘って形成される。このように光源ケース６１と下本体ケース１０ｂにより形成された間隙Ｇにより、流入部６２から流出部６３に向かって空気ｆ７が流れる通気路が形成される。よって、上述の横リブ９１及び下リブ９２は、光源ケース６１の外面に、通気路の方向に沿うように面して形成される。また、横リブ９１は通気路の流入部６２側の側面６４１に形成され、下リブ９２は通気路の流入部６２側の底面に形成される。また、ガイド壁９４の下端９４２は、下本体ケース１０ｂの内面１０ｂ１の上方に設けられる。ガイド壁９４は、流入部６２から流出部６３へ向かう空気ｆ７のガイドとして機能する。また、青色光源装置固定部９６と赤色光源装置固定部９５の下端９６４，９５５を含む下側の一部も、流入部６２から流出部６３へ向かう空気ｆ７のガイドとして機能する。
【００６６】
つぎに、投影装置１０の内部における冷却用空気の流路について説明する。図８は、投影装置１０内の通気路を示す平面模式図である。本図では、投影装置１０内の空気の流路を矢印で示している。吸気ファン２６０は、吸気孔３１０を介して投影装置１０の外部から空気ｆ１を取り込む。吸気側２６１から取り込まれた空気ｆ１は、排気側２６２から排気される。排出された空気ｆ２，ｆ３のうち、左側パネル１５側の空気ｆ２は、ヒートシンク１３０に吹き付けられて赤色光源１２１が冷却される。ヒートシンク１３０に吹き付けられた空気ｆ２のうち光源装置６０の上方側の空気は、曲面ダクト４００の第一面４０１や湾曲面４０３に当たり、左側へ向かう空気ｆ２１と右側へ向かう空気ｆ２２に分流する。
【００６７】
左側へ分岐した前方へ向かう空気ｆ２１は、曲面ダクト４００の第二面４０２に沿って前方へ移動する。前方へ流れた空気ｆ２１の一部は、吸気孔３１０の縁部３１１から一旦外部に排気され、新たに流入してくる空気ｆ１と合流し、再び吸気孔３１０を介して吸気側２６１から吸気される。
【００６８】
ヒートシンク１３０に吹き付けられた空気ｆ２から分流して右側へ向かう空気ｆ２２は、排気側２６２から排気された右側パネル１４側の空気ｆ３と合流し、ヒートシンク８１に吹き付けられる。ヒートシンク８１に吹き付けられた空気ｆ３は、右側パネル１４と右側面ダクト４１０により案内されて後方へ流れ、中間ファン２７０の吸気側２７１から吸気される。その後、中間ファン２７０の排気側２７２から排気された空気ｆ４は、一部が排気ファン２８０へ向かって左側に流れ、残りが排気孔３３０から外部へ排出される。中間ファン２７０から排気ファン２８０へ向かう空気ｆ５は、後側面ダクト４３０と背面パネル１３により案内される。このとき、制御回路基板３０２やヒートシンク１９０が冷却される。排気ファン２８０へ到達した空気ｆ５は、吸気側２８１から取り込まれ、排気側２８２から排気孔３４０を介して外部へ排出される。
【００６９】
また、電源装置３０１が配置される位置には、左右が左側パネル１５と左側面ダクト４２０により遮蔽された流路が形成される。排気ファン２８０が駆動すると、光出射部１２ａに設けられた吸気孔３２０から空気ｆ６が流入する。流入した空気ｆ６は、電源装置３０１を通過した後、排気ファン２８０の吸気側２８１から取り込まれ、排気側２８２から排気孔３４０を介して外部へ排出される。これにより、電源装置３０１が冷却される。
【００７０】
このように、投影装置１０内に曲面ダクト４００、右側面ダクト４１０、左側面ダクト４２０、後側面ダクト４３０を配置することにより、投影装置１０内に空気の流路を形成し、この流路上に配置されたヒートシンク１３０，８１，１９０、蛍光板装置１００、制御回路基板３０２、電源装置３０１等の熱源を効率良く冷却することができる。
【００７１】
さらに、吸気ファン２６０から排出された一部の空気ｆ７は、流入部６２から光源装置６０の下側に流入する。光源装置６０の下側に流入した空気ｆ７は、図６及び図７に示すようにヒートシンク１９０側に設けられた流出部６３から排出され、その後、排気ファン２８０によって投影装置１０の外部へ排出される。そのため、吸気ファン２６０から離れた熱源であるヒートシンク１９０を効率よく冷却することができる。
【００７２】
また、投影装置１０の内部には、図示しない温度センサが設けられる。温度センサは、例えば、ヒートシンク８１，１３０，１９０、電源装置３０１、制御回路基板３０２、光源装置６０の光源ケース６１、蛍光板装置１００等に設けられる。制御部３８は、各部材の温度が一定以上に上昇しないように、各ファン２６０，２７０，２８０の回転速度を制御することができる。ファン２６０，２７０，２８０の制御としては、例えば、制御部３８が、各部材の温度センサの温度を確認してその温度が一定以上となったと判断した場合、各ファン２６０，２７０，２８０の回転速度を増加させたり、各ファン２６０，２７０，２８０相互の回転速度のバランスを調整することができる。これにより、投影装置１０内の各流路における空気ｆ１〜ｆ７の流量や流量のバランスを制御することができる。
【００７３】
なお、本実施形態では、吸気ファン２６０を投影装置１０の前方右側の角部５０１に配置させたが、吸気ファン２６０は、第一面４０１が排気側２６２の略正面に配置されて第二面４０２が吸気ファン２６０の側面側に配置される曲面ダクト４００との位置関係を維持していれば、吸気孔３１０から離れた内部の位置に設けてもよい。したがって、投影装置１０からの指向性を持った騒音を低減させることができる。
【００７４】
以上、本実施形態の冷却装置及び投影装置は、第２のケース６１が、第２のケース１０ｂ（１０ａ）と間隙を有して配置され、第１のケース又は第２のケースにはリブが形成され、リブにより通気路が形成され、通気路の流入部側を吸気ファン２６０側にむける。これにより、光源ケース６１の下方に形成される通気路を流れる空気を整流することができる。よって、外部から空気を取り込む吸気ファン２６０から離れた位置に配置された熱源へ効率よく空気を送るとともに、その離れた熱源や通気路の途中に配置された光源ケース６１を効率良く冷却させることができる。
【００７５】
また、第１のケースである光源ケース６１が第２のケースである本体ケース１０ａ，１０ｂの底部と間隙を有して配置される冷却装置、及び、第１のケースである光源ケース６１が第２のケースである本体ケース１０ａ，１０ｂの上部と間隙を有して配置される、冷却装置は、通気路の空気と接する光源ケース６１の面積を広くすることができる。
【００７６】
また、リブが板状に複数形成され、リブが通気路の方向に沿って形成される冷却装置は、リブを整流板として機能させるとともに放熱板としても機能させることができる。
【００７７】
また、リブが通気路の流入部６２側の側面に形成された横リブ９１を含む冷却装置は、光源ケース６１に設けられた蛍光板装置固定部９３を支持して剛性を高めるとともに、流入部６２から流入する空気を整流し、光源ケース６１を冷却するフィンとしても機能させることができる。
【００７８】
また、リブが通気路の流入部６２側の下面に形成された下リブ９２を含む冷却装置は、光源ケース６１の下方に形成された通気路を流れる空気の通気方向を流出部６３側へ整流するとともに、光源ケース６１を冷却するフィンとしても機能させることができる。
【００７９】
また、光源ケース６１が下方に立設するガイド壁９４を有する冷却装置は、光源ケース６１の下方に形成された通気路を流れる空気の通気方向を、流出部６３のある後方へ整流することができる。
【００８０】
また、光源ケース６１が通気路の流出部６３側に冷却対象物を有する冷却装置は、吸気ファン２６０から離れた位置であっても、表示素子５１等の熱源となる光学部材を配置させることができる。
【００８１】
また、本体ケース１０ａ，１０ｂに、吸気ファン２６０と対角位置に排気ファン２８０が設けられ、光源ケース６１が通気路の流出部６３側を排気ファン２８０側に向けて配置される冷却装置は、主な通気方向を対角方向に形成させて、効率の良い冷却機構を構成することができる。
【００８２】
本体ケース１０ａ，１０ｂが直方体形状であり、平面視において、投影方向側に位置する前方右側及び前方左側の各角部５０１，５０２に吸気孔３１０，３２０を、後方右側及び後方左側の各角部５０３，５０４に排気孔３３０，３４０を備え、吸気ファン２６０が前方右側の吸気孔３１０の内側に配置され、排気ファン２８０が後方左側の排気孔３４０の内側に配置される、冷却装置は、複数個所から吸気した空気を複数の通気路を介して流出部６３側に集めて排気させることができる。したがって、吸気ファン２６０側から離れた位置に冷却対象物を配置した場合であっても、その冷却対象物を効率よく冷却させることができる。
【００８３】
なお、光源ケース６１の下面ではなく、光源ケース６１の上面が、上本体ケース１０ａの内面と間隙を有して配置されるようにしても良い。この間隙が、流入部６２側から流出部６３側に亘って形成されることで、流入部６２から流出部６３に向かって空気が流れる通気路を形成するようにしても良い。
【００８４】
また、上本体ケース１０ａ又は下本体ケース１０ｂにリブを設けてもよい。例えば、リブは、上本体ケース１０ａと光源ケース６１との間隙において、上本体ケース１０ａの内面に形成することができる。また、リブは、下本体ケース１０ｂと光源ケース６１との間隙Ｇにおいて、下本体ケース１０ｂの内面１０ｂ１に形成することができる。
【００８５】
また、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００８６】
以下に、本願出願の最初の特許請求の範囲に記載された発明を付記する。
［１］  熱源を収納する第１のケースと、
前記第１のケースを収納する第２のケースと、
前記第２のケースに収納された吸気ファンと、
を備え、
前記第１のケースは、前記第２のケースと間隙を有して配置され、
前記第１のケース又は前記第２のケースにはリブが形成され、前記リブにより通気路が形成され、前記通気路の流入部側を前記吸気ファン側に向ける、
ことを特徴とする冷却装置。
［２］  前記熱源は光源装置であり、
前記第１のケースは光源ケースであり、
前記第２のケースは本体ケースであり、
前記光源ケースは、前記本体ケースの底部と間隙を有して配置される、
ことを特徴とする上記［１］に記載の冷却装置。
［３］  前記熱源は光源装置であり、
前記第１のケースは光源ケースであり、
前記第２のケースは本体ケースであり、
前記光源ケースは、前記本体ケースの上部と間隙を有して配置される、
ことを特徴とする上記［１］に記載の冷却装置。
［４］  前記リブは、板状に複数形成され、
前記リブの板面は、前記通気路の方向に沿って形成された、
ことを特徴とする上記［１］乃至上記［３］の何れかに記載の冷却装置。
［５］  前記リブは、前記通気路の流入部側の側面に形成された横リブを含むことを特徴とする上記［１］乃至上記［４］の何れかに記載の冷却装置。
［６］  前記リブは、前記通気路の流入部側の底面に形成された下リブを含むことを特徴とする上記［１］、［２］、［４］、［５］の何れかに記載の冷却装置。
［７］  前記光源ケースは、下方に立設するガイド壁を有することを特徴とする上記［２］、［４］乃至［６］の何れかに記載の冷却装置。
［８］  前記光源ケースは、前記通気路の流出部側に冷却対象物を有することを特徴とする上記［２］乃至上記［７］の何れかに記載の冷却装置。
［９］  前記本体ケースには、前記吸気ファンと対角位置に排気ファンが設けられ、
前記光源ケースは、前記通気路の流出部側を前記排気ファン側に向けて配置される、
ことを特徴とする上記［２］乃至上記［８］の何れかに記載の冷却装置。
［１０］  前記本体ケースは、
略直方体形状であり、
平面視において、投影方向側に位置する前方右側及び前方左側の各角部に吸気孔を、後方右側及び後方左側の各角部に排気孔を備え、
前記吸気ファンは、前記前方右側の吸気孔の内側に配置され、
前記排気ファンは、前記後方左側の排気孔の内側に配置される、
ことを特徴とする上記［９］に記載の冷却装置。
［１１］  上記［２］乃至上記［１０］の何れか一項に記載の冷却装置と、
表示素子と、
前記光源装置を透過した光を前記表示素子に導光する光源側光学系と、
前記表示素子から出射された画像を投影する投影側光学系と、
を備えることを特徴とする投影装置。
【符号の説明】
【００８７】
１０  投影装置                        １０ａ  上本体ケース（第２のケース）
１０ｂ  下本体ケース（第２のケース）    １０ｂ１  内面
１１  上面パネル                        １１ａ  投影画像調整部
１１ｂ１  仕切板                        １１ｂ２  切欠部
１２  正面パネル                        １２ａ  光出射部
１２ｂ  投影口                          １２ｃ  高さ調整ボタン
１３  背面パネル                        １４  右側パネル
１５  左側パネル                        １９  レンズカバー
２０  端子                              ２１  入出力コネクタ部
２２  入出力インターフェース            ２３  画像変換部
２４  表示エンコーダ                    ２５  ビデオＲＡＭ
２６  表示駆動部                        ３１  画像圧縮／伸長部
３２  メモリカード                      ３５  Ｉｒ受信部
３６  Ｉｒ処理部                        ３７  キー／インジケータ部
３８  制御部                            ４１  光源制御回路
４３  冷却ファン駆動制御回路            ４５  レンズモータ
４７  音声処理部                        ４８  スピーカ
５１  表示素子                          ６０  光源装置
６１  光源ケース（第１のケース）        ６２  流入部
６３  流出部                            ６４  第一ブロック
６５  第二ブロック                      ６６  縁板
７０  励起光照射装置                    ７１  青色レーザダイオード
７３  コリメータレンズ                  ７４  固定ホルダ
７６  反射ミラー                        ７８  拡散板
８０  緑色光源装置                      ８１  ヒートシンク
９１  横リブ                            ９２，９２ａ，９２ｂ  下リブ
９３  蛍光板装置固定部                  ９４  ガイド壁
９５  赤色光源装置固定部                ９６  青色光源装置固定部
９７  表示素子固定部                    ９８  鏡筒固定部
１００  蛍光板装置                      １０１  蛍光板
１１０  モータ                          １１５  集光レンズ
１１７  集光レンズ群                    １２０  赤色光源装置
１２１  赤色光源                        １２５  集光レンズ群
１３０  ヒートシンク                    １３１  フィン
１４０  導光光学系                      １４１  第一ダイクロイックミラー
１４３  第一反射ミラー                  １４５  第二反射ミラー
１４６  集光レンズ                      １４７  集光レンズ
１４８  第二ダイクロイックミラー        １４９  集光レンズ
１７０  光源側光学系                    １７３  集光レンズ
１７５  導光装置                  １７８  集光レンズ
１７９  光軸変換ミラー                  １８３  集光レンズ
１８５  照射ミラー                      １９０  ヒートシンク
１９１  フィン                          １９５  コンデンサレンズ
２２０  投影側光学系                    ２２５  固定レンズ群
２３５  可動レンズ群                    ２６０  吸気ファン
２６１  吸気側                          ２６２  排気側
２６３  側面側                          ２７０  中間ファン
２７１  吸気側                          ２７２  排気側
２８０  排気ファン                      ２８１  吸気側
２８２  排気側
３０１  電源装置                        ３０２  制御回路基板
３１０  吸気孔                          ３１１  縁部
３２０  吸気孔                          ３３０  排気孔
３４０  排気孔
４００  曲面ダクト                      ４０１  第一面
４０２  第二面                          ４０３  湾曲面
４０４  Ｌ字状板部                      ４１０  右側面ダクト
４２０  左側面ダクト                    ４３０  後側面ダクト
５０１〜５０４  角部                    ６４１  側面
６４２  底面                            ６６１  Ｃ面取り部
８１１  第一フィン                      ８１２  第二フィン
８５１  固定部                          ８５２  支持部
９２１  傾斜面                          ９４１  前ガイド部
９４２  下端                            ９５１  固定孔
９５２  固定孔                          ９５３  位置決め突起
９５４  貫通孔                          ９５５  下端
９６１  固定孔                          ９６２  位置決め突起
９６３  貫通孔                          ９６４  下端
９８１  貫通孔
Ｇ  間隙                                ｆ１〜ｆ７，ｆ２１，ｆ２２  空気
【図１】
0006774617.tif 000002
【図２】
0006774617.tif 000003
【図３】
0006774617.tif 000004
【図４】
0006774617.tif 000005
【図５】
0006774617.tif 000006
【図６】
0006774617.tif 000007
【図７】
0006774617.tif 000008
【図８】
0006774617.tif 000009